(57)【特許請求の範囲】
【請求項１】
シールドルームの開口上部に設けられたレールに沿って水平方向に移動する可動ドアと該シールドルームの開口部に設けた電磁波シールド縦枠及び電磁波シールド横枠との組合せよりなる可動ドアのシールド構造に於て、可動ドアの閉鎖時に可動ドアの左右側に設けた金属製ナイフ片が開口部の両側に設けられた電磁波シールド縦枠内に挿入され、かつ可動ドアが閉鎖時に可動ドアの上縁に設けた金属製ナイフ片が開口部の上側に設けられた電磁波シールド横枠内に挿入され、かつ可動ドアの下縁に設けられた金属ブラシ或は金属弾性接触片が導電式床面に接地されるように構成されることを特徴とした可動ドアのシールド構造。
【請求項２】
前記可動ドアが閉鎖時に下降して前記可動ドアの上縁に設けられたナイフ片が電磁波シールド横枠内に挿入され、かつ該可動ドアの下縁に設けられた前記金属ブラシ或は金属弾性接触片が床面に接地して電磁波シールドすることを特徴とした請求項１の可動ドアのシールド構造。
【請求項３】
前記シールドルームの開口部に設けられたレールの所定位置に凹部を設け、前記可動ドアの閉鎖時に該レール上を走行する戸車が凹部に嵌入されて該可動ドアを自動的に下降させるように構成したことを特徴とした請求項１或は請求項２の可動ドアのシールド構造。
【請求項４】
前記電磁波シールド縦枠及び電磁波シールド横枠が断面Ｕ字型チャンネル枠の内側両面に多数の金属弾性接触片が並列して設けられていることを特徴とした請求項１乃至請求項３の何れかの可動ドアのシールド構造。
【発明の詳細な説明】
【０００１】
【発明の属する技術分野】
本発明はシールドルームの開口部に設けられる可動ドアのシールド構造に係り、特に可動ドアが閉鎖された際に可動ドア側に設けられたナイフ片がシールドルームの開口部に設けた電磁波シールド縦枠及び電磁波シールド横枠内に自動的に挿入して電磁波シールドされるように構成された可動ドアのシールド構造に関するものである。
【０００２】
【従来の技術】
従来のシールドルームの開口部を電磁波シールドする構造の公知技術としては、例えば、特開昭６３−２０４７００号公報（第１公知技術）、実開昭５８−４２９９３号公報（第２公知技術）、実開昭６２−５３４００号公報（第３公知技術）及び実開平１−１０７１９９号公報（第４公知技術）等が知られている。
【０００３】
前述の公知技術の内の第１公知技術は、開閉扇の先端部に断面Ｌ状の金属製のナイフエッジを取付けると共に電磁遮蔽室の開口部に金属接触片を内側に有する電磁波シールド枠を設け、開閉扇を閉鎖した際に前記ナイフエッジを電磁波シールド枠内に挿入させて開口部を電磁波シールドするようにした構造の技術である。
【０００４】
第２公知技術は、高電圧試験場の開口部下縁に設けられたレール上を水平方向に移動する扉本体の上下縁内側に夫々Ｌ状の金属片を突設し、かつ開口部の上下縁枠に電解質溶液を充填したチャンネルを前記レールに沿って取付固定し、扇本体をレール上に添って水平移動させる際に、前記金属片をチャンネル内に挿入しながら移動させることによって開口部を電磁波シールドするようにした構造の技術である。
【０００５】
第３公知技術は、電磁波シールドし得る筐体の開口部に扇を開閉自在に取付け、かつ扇側に導電性ゴムからなる長尺の弾性導電材を取付け、かつ開口部の縁枠に前記弾性導電材に線的に当接される導電性長尺アングルを取付け、これらの弾性導電材と長尺アングルとを組合せることによって、開口部を電磁波シールドするようにした構造の技術である。
【０００６】
また、第４公知技術は、電磁波シールド壁の開口部の一方の側縁に電磁波シールドドアの一端部を回動自在に軸支し、該電磁波シールドドアの他端側に係上部材を設けると共に開口部側に該係上部の受け部とを設け、ドアの閉鎖時に両者を接触させると共に温度を変化させるようにして開口部を電磁波シールドするようにした構造の技術である。
【０００７】
【発明が解決しようとする課題】
前述の公知技術の内で、第２公知技術を除く、他の第１公知技術、第３公知技術及び第４公知技術は、いずれも開閉式ドアの電磁波シールドに関する技術である。このような開閉式ドアの場合には、周囲のシールドラインを垂直面の同一面に設けることが出来るので、例えば第１公知技術に示す如く、ドアの一辺が遮蔽室内の一方の縦枠に回動自在に枢着され、かつドアの周囲に金属性ナイフエッジが突設され、かつ遮蔽室内空間の周囲枠に該金属性ナイフエッジを挿入し得る電磁波シールド枠を取付けられているので、ドアのシールドラインは１面で構成することが出来、従ってドアを閉じた際にドアの周囲全体を簡単かつ確実に電磁波シールドを施すことが出来る構造となっている。
【０００８】
これに対し、第２公知技術或は本発明のような引戸構造の場合には、縦方向と横方向のシールドラインが別々のシールドラインとなるので、電磁波シールド構造が複雑になる問題があった。
【０００９】
前記第２公知技術に於ては、入口枠に沿って引戸を納めて走行させることが出来るレールを納めた側面側建屋構造物を設け、その上下枠内に電解質溶液等が充填された断面Ｕ型のチャンネルを取付け、かつ引戸の上下縁には夫々該チャンネル内に挿入し得る金属板を突設して構成し、これ等の金属板をチャンネル内に挿入しながら水平移動させることによって引戸の上下縁の電磁波シールドを行っている。
【００１０】
然るに、第２公知技術の場合には、チャンネル内に電解質溶液を充填する方式であるので、チャンネル内を移動する金属板に対する抵抗は少ないが、蒸発し易い電解質溶液を常に補充しなければならず、また、この電解質溶液内に挿入される金属板が腐食、発錆しないように考慮しなければならない等の問題があった。
【００１１】
更に、第２公知技術の場合には、シールドルームの入口下面にレールを納めた側面側建屋構造物が設けられているので、シールドルームに出入りする都度、この側面側建屋構造物を跨いで出入りしなければならず、人の出入りが不便であり、しかもこの側面側建屋構造物内に収納されたレールやチャンネル内にゴミ等が付着してトラブルが発生し易い問題もあった。
【００１２】
本発明は、前述の従来の多くの問題点に鑑み開発された全く新しい技術であって、特にシールドルームの開口上部にレールを設けて可動ドアを水平方向に移動させ、かつ可動ドアの閉鎖時に開口部の両側に設けられた電磁波シールド縦枠内に可動ドアの左右側に設けたナイフ片を挿入し、開口部の上側に設けた電磁波シールド横枠内に可動ドアの上縁に設けたナイフ片を挿入し、さらに可動ドアの下縁に設けた金属ブラシを導電式床面に接地させることによって電磁波シールドするように構成した技術を提供するものである。
【００１３】
【課題を解決するための手段】
本発明に係る可動ドアのシールド構造は、前記の従来の多くの問題点を根本的に改善した発明であって、その第１発明の要旨は、シールドルームの開口上部に設けられたレールに沿って水平方向に移動する可動ドアと該シールドルームの開口部に設けた電磁波シールド縦枠及び電磁波シールド横枠との組合せよりなる可動ドアのシールド構造に於て、可動ドアの閉鎖時に可動ドアの左右側に設けた金属製ナイフ片が開口部の両側に設けられた電磁波シールド縦枠内に挿入され、かつ可動ドアが閉鎖時に可動ドアの上縁に設けた金属製ナイフ片が開口部の上側に設けられた電磁波シールド横枠内に挿入され、かつ可動ドアの下縁に設けられた金属ブラシ或は金属弾性接触片が導電式床面に接地されるように構成されることを特徴とした可動ドアのシールド構造である。
【００１４】
前術の第１発明に於ては、可動ドアをシールドルームの開口上部に設けたレールに吊下げて水平方向に移動するように構成したので、シールドルームの入口下面に出入りに邪魔になるレールやこれ等レール等を収納する側面側建屋構造物等を設ける必要がなく、人のシールドルームの出入りを容易にすることが出来る。
【００１５】
また、シールドルームの開口部の両側に設けた電磁波シールド縦枠内に可動ドアの左右側に設けたナイフ片を挿入するように構成したので、これによって可動ドアの左右縁を簡単かつ確実に電磁波シールドすることが出来る。
【００１６】
さらに、開口部の上側に設けた電磁波シールド横枠内に可動ドアの上縁に設けたナイフ片を挿入し、さらに可動ドアの下縁に設けられた金属ブラシ或は金属弾性接触片を導電式床面に接地させることによって可動ドアの上下縁を簡単かつ確実に電磁波シールドすることが出来る。
【００１７】
本発明に係る可動ドアのシールド構造の第２発明の要旨は、前記可動ドアが閉鎖時に下降して前記可動ドアの上縁に設けられたナイフ片が電磁波シールド横枠内に挿入され、かつ該可動ドアの下縁に設けられた前記金属ブラシ或は金属弾性接触片が床面に接地して電磁波シールドすることを特徴とした第１発明の可動ドアのシールド構造である。
【００１８】
前述の第２発明に於ては、可動ドアを閉鎖時に下降させるようにしたので、可動ドアの上縁に設けられたナイフ片を可動ドアが下降した際に予め所定位置に設けた電磁波シールド横枠内に挿入して電磁波シールドすることが出来る。従って、可動ドアの移動中にナイフ片が電磁波シールド横枠に接触して摩擦が生ずる恐れがない。さらに、可動ドアの下縁に設けられた金属ブラシ或は金属弾性接触片も、可動ドアを下降させた際に初めて床面に接地して電磁波シールドすることが出来る。
【００１９】
本発明に係る可動ドアのシールド構造の第３発明の要旨は、前記シールドルームの開口部に設けられたレールの所定位置に凹部を設け、前記可動ドアの閉鎖時に該レール上を走行する戸車が凹部に嵌入されて該可動ドアを自動的に下降させるように構成したことを特徴とした第１発明或は第２発明の可動ドアのシールド構造である。
【００２０】
前述の第３発明に於ては、可動ドアが走行し得るレールの所定位置に凹部を設けて構成したので、レール上を走行する可動ドアの戸車を閉鎖時に該凹部に嵌入させることによって、可動ドアを自動的に下降させることが出来る。
【００２１】
本発明に係る可動ドアのシールド構造の第４発明の要旨は、前記電磁波シールド縦枠及び電磁波シールド横枠が断面Ｕ字型チャンネル枠の内側両面に多数の金属弾性接触片が並列して設けられていることを特徴とした第１発明乃至第３発明の何れかの可動ドアのシールド構造である。
【００２２】
前述の第４発明に於ては、前記電磁波シールド縦枠及び電磁波シールド横枠が断面Ｕ字型チャンネル枠で形成され、かつその内側両面に多数の金属弾性接触片が並列して設けられているので、電磁波シールド縦枠及び電磁波シールド横枠内に挿入されたナイフ片を金属弾性接触片に柔らかにかつ確実に接触せしめることが出来る。
【００２３】
【発明の実施の形態】
図により本発明に係る可動ドアのシールド構造について説明すると、図１は本発明のシールド構造の要部を示す縦断面図、図２は本発明のシールド構造の平面図、図３は図２のシールド構造の要部の拡大図である。
【００２４】
図４は図２のシールド構造の横断面図、図５は電磁波シールド枠の要部の斜視拡大図、図６は可動ドアの下縁の斜視説明図である。
【００２５】
図１乃至図６に於て、１はシールドルームであって、その開口部２には可動ドア３が水平方向に移動して開口部２を開閉し得るように構成されている。該シールドルーム１の開口部２側の上枠４には、レール５が水平方向に設けられており、可動ドア３の上縁に設けた２個の戸車６が該レール５上を走行し、これによって前記開口部２を可動ドア３で開閉し得るように構成されている。
【００２６】
前記レール５の上面所定位置には、２個の凹所７が突設されており、前記戸車６がこの凹所７内に嵌入された際には、可動ドア３が凹所７の深さだけ下降し得るように構成されている。また、レール５上に設ける凹所７の位置は、可動ドア３が開口部２を完全に閉鎖した際に、戸車６が凹所７内に嵌入され、かつ可動ドア３を下降させることが出来るように構成されている。
【００２７】
図中８は、可動ドア３を閉鎖した際に用いられるクッション部材であって、コイルスプリング８ａがその一部に設けられている。９はエアークッション部材であって、エアーシリンダーを有し、２００mmのストロークを有している。１０はキックハンドルであって、前記レール５の凹所７に戸車６が嵌入されることによって下降されている可動ドア３を、このキックハンドル１０の作動によって上昇させることが出来る作用をしている。
【００２８】
１１は電磁波シールド横枠であって、前記開口部２の上枠４の所定位置に取付けられている。その電磁波シールド横枠１１は、特に図５によって明らかな如く、断面Ｕ字型チャンネル枠１２の内側両面に多数のベリユウムカッパー等でスプリング性を持って形成され金属弾性接触片１３を夫々並列することによって構成されている。
【００２９】
また、可動ドア３の上縁には断面Ｌ字型の金属製ナイフ片１４が突設されており、前述の如く、可動ドア３が閉鎖されて下降した際には、該金属製ナイフ片１４が前記電磁波シールド横枠１１内に深く挿入されて前記金属弾性接触片１３とが相互に接触されるように構成されている。
【００３０】
１５は第１電磁波シールド縦枠であり、１６は第２電磁波シールド縦枠であって、これ等の電磁波シールド縦枠１５、１６はシールドルーム１の開口部２の左側枠１７或は右側枠１８に夫々取付けられている。これ等の電磁波シールド縦枠１５、１６は前述の電磁波シールド横枠１１と同様に、チャンネル枠１２の内側両面に多数の金属弾性接触片１３を並列することによって構成されている。
【００３１】
前記可動ドア３の左右両側縁には夫々断面Ｌ字型の金属製ナイフ片１９、２０が突設されており、開口部２を可動ドア３で閉鎖した際には、金属製ナイフ片１９、２０が夫々第１電磁波シールド縦枠１５或は第２電磁波シールド縦枠１６内に深く挿入されて、金属弾性接触片１３と接触することが出来るように構成されている。
【００３２】
前記可動ドア３の下面には、特に図６に示す如く、金属ブラシ２１、２２が取付けられている。従って、可動ドア３が閉鎖時に下降した際には、この金属ブラシ２１、２２が銅箔等の金属箔を敷設して構成した導電式床面２３に接触し得るように構成されている。前述実施例に於ては、可動ドア３の下面に金属ブラシ２１、２２を取付けて構成したが、これ等の金属ブラシ２１、２２の代りに前記金属弾性接触片１３と類似する形状を有する金属弾性接触片を取付けて構成する（図示せず）ことも可能である。
【００３３】
本発明に係る可動ドアのシールド構造に於ては、前述の如く、開口部２の左右の側枠１７、１８に夫々電磁波シールド縦枠１５、１６を設けると共に、可動ドア３の左右両側縁に夫々金属製ナイフ片１９、２０を突設して構成したので、開口部２を可動ドア３で閉鎖した際には、前記金属製ナイフ片１９、２０を電磁波シールド縦枠１５、１６内に挿入し、これによって可動ドア３の左右両側縁を夫々電磁波シールドすることが出来る。
【００３４】
また、開口部２の上枠４に電磁波シールド横枠１１を取付け、かつ可動ドア３の上縁に金属製ナイフ片１４を突設し、可動ドア３の下縁に金属ブラシ２１、２２を取付けて構成し、更に可動ドア３を閉鎖した際に、この可動ドア３を下降するように構成したので、可動ドア３を閉鎖した際には、金属製ナイフ片１４を電磁波シールド横枠１１内に挿入すると同時に金属ブラシ２１、２２を導電式床面２３に接触せしめ、これによって可動ドア３の上下部を夫々電磁波シールドすることが出来る。
【００３５】
本発明を実施した場合には、可動ドアの下縁の金属ブラシ等で電磁波シールドするので、シールドルーム１の開口部２の床面に前述の従来の第２公知技術の場合の如く、レールや電解質溶液を充填したチャンネル等を収納した構造物を設ける必要がなく、開口部２の入口をバリアフリーにすることが出来る。また、前述の構造物がないので、ゴミ等が付着する心配がなく、掃除等を不要とすることが出来る。
【００３６】
【発明の効果】
本発明に於ては、可動ドアをシールドルームの開口上部に設けたレールに吊下げて水平方向に移動するように構成したので、シールドルームの入口下面に出入りに邪魔になるレールやこれ等レール等を収納する側面側建屋構造物等を設ける必要がなく、人のシールドルームの出入りを容易にすることが出来る効果を有している。
【００３７】
また、シールドルームの開口部の両側に設けた電磁波シールド縦枠内に可動ドアの左右側に設けたナイフ片を挿入するように構成したので、これによって可動ドアの左右縁を簡単かつ確実に電磁波シールドすることが出来る効果も有している。さらに、開口部の上側に設けた電磁波シールド横枠内に可動ドアの上縁に設けたナイフ片を挿入し、さらに可動ドアの下縁に設けられた金属ブラシ或は金属弾性接触片を導電式床面に接地させることによって可動ドアの上下縁を簡単かつ確実に電磁波シールドすることが出来る効果を有している。
【００３８】
本発明に於て、可動ドアを閉鎖時に下降させるようにした場合には、可動ドアの上縁に設けられたナイフ片を可動ドアが下降した際に予め所定位置に設けた電磁波シールド横枠内に挿入して電磁波シールドすることが出来る。従って、可動ドアの移動中にナイフ片が電磁波シールド横枠に接触して摩擦が生ずる恐れがない。さらに、可動ドアの下縁に設けられた金属ブラシ或は金属弾性接触片も、可動ドアを下降させた際に初めて床面に接地して電磁波シールドすることが出来る効果を有している。
【００３９】
本発明に於て、可動ドアが走行し得るレールの所定位置に凹部を設けて構成した場合には、レール上を走行する可動ドアの戸車を閉鎖時に該凹部に嵌入させることによって、可動ドアを自動的に下降させることが出来る効果を有している。さらに、前記電磁波シールド縦枠及び電磁波シールド横枠が断面Ｕ字型チャンネル枠で形成し、かつその内側両面に多数の金属弾性接触片を並列して設けた場合には、電磁波シールド縦枠及び電磁波シールド横枠内に挿入されたナイフ片を金属弾性接触片に柔らかにかつ確実に接触せしめることが出来る効果を有している。
【図面の簡単な説明】
【図１】本発明のシールド構造の要部を示す縦断面図である。
【図２】本発明のシールド構造の平面図である。
【図３】図２のシールド構造の要部の拡大図である。
【図４】図２のシールド構造の横断面図
【図５】電磁波シールド枠の要部の斜視拡大図である。
【図６】可動ドアの下縁の斜視説明図である。
【符号の説明】
１…シールドルーム
２…開口部
３…可動ドア
４…上枠
５…レール
６…戸車
７…凹所
８…クッション部材
８ａ…コイルスプリング
９…エアークッション部材
１０…キックハンドル
１１…電磁波シールド横枠
１２…チャンネル枠
１３…金属弾性接触片
１４…金属製ナイフ片
１５…第１電磁波シールド縦枠
１６…第２電磁波シールド縦枠
１７…左側枠
１８…右側枠
１９…金属製ナイフ片
２０…金属製ナイフ片
【図１】
0004153724.tif 000002
【図２】
0004153724.tif 000003
【図３】
0004153724.tif 000004
【図４】
0004153724.tif 000005
【図５】
0004153724.tif 000006
【図６】
0004153724.tif 000007